【事件の表示】
　平成　８年特許願第３０２６７９号「改良されたシャドウマスクの開孔パターンを有するカラー映像管」拒絶査定不服審判事件〔平成　９年　６月２４日出願公開、特開平　９−１６７５７６〕について、次のとおり審決する。
【結　論】
　本件審判の請求は、成り立たない。
【理　由】
１．手続の経緯 
　本願は、平成８年１１月１４日（パリ条約による優先権主張　１９９５年１１月１５日　アメリカ合衆国（ＵＳ））の出願であって、平成１５年１１月１３日付けで拒絶査定がなされ、これに対し、平成１６年２月１６日に拒絶査定に対する審判請求がなされ、当審から平成１８年８月２４日付けで拒絶理由が通知され、平成１９年２月２８日付けで明細書に係る手続補正がなされ、さらに平成１９年４月５日付けで拒絶理由が通知されたものである。
　　
２．本願発明
　本願の請求項１に係る発明（以下、「本願発明」という。）は、平成１９年２月２８日付けの手続補正によって補正された明細書の記載からみて、その特許請求の範囲の請求項１に記載された、以下のとおりのものである。
　「ビューイングスクリーンに離間した関係で取り付けられたシャドウマスクを有し、前記マスクは２つの長い側と２つ短い側とを有する長方形の周囲を有し、その主軸は前記マスクの中心を通過して前記長い側に平行であり、その従軸は前記マスクの中心を通過して前記短い側に平行であり、前記マスクは前記従軸に実質的に平行で開孔アレイの境界において終端する列に整列したスリット形状の開孔を含む開孔アレイを有し、
各々の列内における近接した開孔は前記マスク内においてタイバーにより分離され、一つの列内におけるタイバーは各々の近接した列におけるタイバーから前記従軸に平行な長手方向にずらされ、列内のタイバーからタイバーまでの間隔はマスク上の位置におけるタイバーのピッチである、カラー映像管であって、
　少なくともその一端に完全な長さの最終開孔を有する一つ置きの列よりなる開孔列の第１の組と、少なくともその一端に部分的な長さの最終開孔を有する第１の組には無い一つ置きの列よりなる開孔列の第２の組と、滑らかに湾曲した境界線上で終端する前記開孔列の全ての最終開孔とよりなり、
　前記列のタイバーのピッチは前記マスクの前記中心から前記短い側へ減少し、各々の列に沿ったタイバーのピッチは前記マスクの中心から前記長い側へと変化することにより、ビューイングスクリーンの側においてモアレを最小限に抑えることを特徴とするカラー映像管。」
　　　
３．当審拒絶理由通知　
　当審は、平成１９年４月５日付けの拒絶理由で、本願発明は、下記の引用刊行物１乃至引用刊行物４に記載された発明に基づいて当業者が容易に発明をすることができたものであるから、特許法第２９条第２項の規定により特許を受けることができない旨通知した。
　引用刊行物１：特開平４−２２９９３５号公報
　引用刊行物２：特開昭５５−７８４４５号公報
　引用刊行物３：実願昭５４−１８９８５号(実開昭５５−１２００６９号)
　　　　　　　　のマイクロフィルム
　引用刊行物４：特開平２−１０３８４７号公報
　　　　　　
４．引用刊行物に記載された発明  
（１）引用刊行物１  
　本願の優先権主張の日前に頒布された刊行物である特開平４−２２９９３５号公報（以下、「引用刊行物１」という。）には、図面とともに次の記載がある。 
ａ１．「【請求項１】内部にシャドウマスクを取着配置したカラー映像管であって、上記マスクは、２つの長辺と２つの短辺およびマスクの中心を通り上記両長辺と平行な長軸と上記マスクの中心を通り上記両短辺に平行な短軸とを有する矩形状の輪郭を有し、またこのマスクは列状に整列したスリット形開孔を含む開孔配列を有し、上記列は上記短軸と実質的に平行で上記開孔配列の境界部で終端しており、各列内で互に隣接する開孔はマスク中のタイバーによって隔てられており、一つの列内におけるタイバーは隣接する各列内におけるタイバーに対し上記短軸と平行するその長手方向に偏位し、また一つの列内におけるタイバー相互間の間隔はマスクのその位置におけるタイバー・ピッチであり、上記列のうち一つおきの列から成る第１組の列は、その各列内の最終端から２番目の開孔におけるタイバー・ピッチに比較して最終端開孔におけるタイバー・ピッチが大きくされており、上記第１組に含まれていない一つおきの列から成る第２組の列は、その各列内において最終端から２番目の開孔におけるタイバー・ピッチに比較して最終端開孔におけるタイバー・ピッチが小さくされ、上記第２組内の開孔列の端部直前の最後のタイバーはその列の長手方向に測ってその最後のタイバーの次のタイバーよりも短かくされており、上記すべての開孔列の端部における最終端開孔は滑らかな境界線上で終端している、ことを特徴とするカラー映像管。」（公報第２頁第１欄【特許請求の範囲】参照。）
ｂ１．「【０００３】１本の列内に在るタイバーは、隣接する列内に形成されているタイバーに対し列の長さ方向（縦方向）に位置がずれている。開孔とタイバーがこの様なパターンをなしているので、開孔配列域の上下の境界線は幾分凸凹（ギザギザ）している。或る開孔列の端部ではタイバーが境界線に近接しておりまた他の列の端部では開孔が境界線上にある。このマスクを写真マスタとして観察スクリーンを形成すると、出来上ったスクリーンの上下の境界線も凸凹になる。その様な凸凹の境界線は見栄えが良くない。 
【０００４】境界線が滑らか（スムース）なスクリーンを作るための一つの解決法が、１９８１年１１月１０日付でゴッドフレイ（Ｇｏｄｆｒｅｙ）氏他に与えられた米国特許第４，３００，０７０号に開示されている。この米国特許の方法では、各列中の最後の２つの開孔のピッチを長くしたり短かくしたりする面倒なやり方で開孔配列域の境界線を滑らかにしている。この方法は、境界線の形状を滑らかにするだけでなく、スクリーンの端縁部における光出力を等しくする。この様な方法は、タイバーのピッチが一定で、かつスクリーン上に真直ぐな線状境界線を投影するようなマスクを使用するために開発されたものである。 
【０００５】最近、タイバーの縦方向の繰返し率すなわちタイバーのピッチが変化しているシャドウマスクを作る試みがなされている。この変化させる目的は、モアレの問題を低減するためにスクリーン上に一定ピッチの陰を作ることである。もし、タイバーのピッチが変っている上記の様なマスクを使用して管スクリーンの上下境界線を直線状の投影状態にしようとすれば、上記の様なマスクに簡単に適用できる新しい境界線平滑化法が必要となる。」ｃ１．「【０００８】【実施例と詳細な説明】図１には、矩形フエースプレート・パネル１２と、矩形フアンネル部１５によってそれに結合された管状ネック部１４とから成るガラス外囲器１１を有する矩形カラー映像管１０が示されている。フアンネル部１５は内部導電被覆（図示せず）を有し、それはアノード・ボタン１６からネック部１４まで延びている。パネル１２は、観察用フエースプレート１８と、ガラスフリット１７によりフアンネル部１５に封着された周辺フランジすなわち側壁２０と、で構成されている。フエースプレート１８の内面には３色カラー蛍光体スクリーン２２が形成されている。 
【０００９】このスクリーン２２は、蛍光体線が３つ組をなすように配列された線スクリーン型であり、各３つ組の中には上記３色のうちの各色の蛍光体線が含まれている。上記スクリーン２２に対して所定の間隔をおいて、多孔色選択電極すなわちシャドウマスク２４が、普通の方法で脱着可能に取付けられている。図１に破線で略示された電子銃２６が、ネック部１４の中心部に取付けられていて、３本の電子ビーム２８を発生し、マスク２４を通してスクリーン２２に至る集中径路に沿って投射するようになっている。 
【００１０】図１に示された映像管は、フアンネル部とネック部の結合部付近に図示されたヨーク３０のような、外部磁気偏向ヨークと共に使用するように設計されている。このヨーク３０は励磁されると、３本のビーム２８に磁界を作用させて、これら３本のビームにスクリーン２２上を水平および垂直に矩形ラスタを描くように走査させる。初期偏向面（零偏向面）はヨーク３０のほゞ中央にある。フリンジ磁界があるので、管の偏向域は管軸に沿ってヨーク３０から電子銃２６の領域内まで延びている。簡単化のために、偏向域における偏向を受けたビームがとる径路の実際の曲率は、図１には示されていない。 
【００１１】シャドウマスク２４はマスク・フレーム構体３２の一部であって、それには周辺フレーム３４も含まれている。図１には、このマスク・フレーム構体３２がフエースプレート・パネル１２内に配置された状態で示され、また図２にはその正面図が示されれている。シャドウマスク２４は、わん曲した開孔部２５、この開孔部２５を囲む無孔周縁部２７、およびこの周縁部２７から折曲げられてスクリーン２２と反対側へ延びるスカート部２９とを持っている。マスク２４は、フレーム３４に鏡胴式に嵌合し、スカート２９がフレーム３４に溶接されている。」 
ｄ１．「【００１２】シャドウマスク２４は、図２と図３に詳細に示されており、２つの長辺と２つの短辺を持った矩形輪郭を持っている。マスク２４の長軸Ｘはマスクの中心を通って両長辺と平行をなし、また短軸Ｙはマスクの中心を通って両短辺と平行になっている。マスク２４は、短軸Ｙと実質的に平行な列状に整列したスリット形開孔３６を持っている。各列内における隣接開孔３６は、マスクのタイバー３８によって隔てられており、その列中の隣接タイバー３８相互間の間隔は、図３に示されるようにマスク上の特定位置におけるタイバー・ピッチと定義される。」 
ｅ１．「【００１３】図４は、この発明による改良されたシャドウマスク２４の開孔部の右上の象限内における４つの区域を示している。この４つの区域とは、長軸Ｘと短軸Ｙの交点におけるマスクの中心域、短軸Ｙの端部におけるマスクの中心上部域、長軸Ｘの端部におけるマスクの中心右側域、およびマスクの右上の角の部分である。図４において、マスクの右上角部の開孔配列は中心上部域の開孔配列よりも僅かに低い。それは図２に示すようにマスクの開孔部２５の上部境界線が僅かにわん曲しているからである。マスクのこの開孔部において、奇数番目の列１、３３３および３３５から成る第１組の列は、各列ごとに端から２番目の開孔５１、５３および５５の長さに比べてて長さが大である最終端開孔４１、４３および４５を持っている。 
【００１４】偶数番目の列０、２および３３４から成る第２組の列は、最終端開孔４０、４２および４４におけるタイバー・ピッチが各列の端から２番目の開孔５０、５２および５４におけるタイバー・ピッチに比べて短くなっている。第２組の開孔列の端部直前における最後のタイバー６０、６２および６４は、列の長手方向に測って、この最後から２番目のタイバー７０、７２および７４よりも長さが短かく、また全開孔列の端部における最終端開孔は滑らかな境界線８０で終っている。 
【００１５】開孔配列の境界部におけるこの改良された開孔とタイバーの配列を、改良を施していない通常の配列と比較すると、奇数番目の列中の最終端開孔４１、４３および４５は配列の境界線８０まで延長するように長さが長くされ、一方偶数番目の列中の端から２番目の開孔５０、５２および５４は短くされている。奇数番列中の最終端開孔の長さを長くする目的は配列の境界線に接近して位置するタイバーが存在しないようにすることである。 
【００１６】境界線に近い位置にある小さな部分的な開孔はマスクのエッチング工程で完全にエッチングされず、そのため境界線に不所望な階段状部すなわち不連続部が残ることが、よくある。奇数番目の列中で配列境界線に近い位置のタイバーが除去されるので、このタイバーの除去に原因する光出力の増加に対して偶数番目の列で補償をしなければならない。この補償は、偶数番列中の端から２番目の開孔の長さを短くすること、それに合せて偶数番列中のタイバーの位置を配列境界線から一定の距離に決めること、によって行なう。」 
ｆ１．「【００１９】マスクの電子銃側の開孔配列は、スクリーン側の開孔配列のそれよりも小さな形の開孔より成っている。図５には、それらの両開孔配列が互に重ねて図示されている。図５において、列０および１の開孔配列は上側の配列境界部におけるものが示されている。大きな領域４８はマスクのスクリーン側の開孔配列を表わし、小さな領域４９はマスクの電子銃側の開孔配列を表わしている。 
【００２０】マスクのスクリーン側の開孔配列は配列の境界部８０を越えて連続しているが、この境界部のマスクの電子銃側にはタイバーが挿入されているので、マスク端部の電子銃側のすべて最終端開孔配列は正確に配列境界部に在る。これらのタイバーは配列境界部の電子銃側にあるので、エッチングした開孔は、すべての列において、配列境界部の位置で終端することになる。」 
 　 
　上記摘記事項ａ１．乃至ｆ１．及び図面の図１乃至図５の記載からみて、引用刊行物１には次の発明（以下、「引用刊行物１発明」という。）が記載されている。  
　「内部に３色カラー蛍光体スクリーンに対して所定の間隔をおいて取付けられたシャドウマスクを配置したカラー映像管であって、上記マスクは、２つの長辺と２つの短辺およびマスクの中心を通り上記両長辺と平行な長軸と上記マスクの中心を通り上記両短辺に平行な短軸とを有する矩形状の輪郭を有し、またこのマスクは列状に整列したスリット形開孔を含む開孔配列を有し、上記列は上記短軸と実質的に平行で上記開孔配列の境界部で終端しており、各列内で互に隣接する開孔はマスク中のタイバーによって隔てられており、一つの列内におけるタイバーは隣接する各列内におけるタイバーに対し上記短軸と平行するその長手方向に偏位し、また一つの列内におけるタイバー相互間の間隔はマスクのその位置におけるタイバー・ピッチであり、上記列のうち一つおきの列から成る第１組の列は、その各列内の最終端から２番目の開孔におけるタイバー・ピッチに比較して最終端開孔におけるタイバー・ピッチが大きくされており、上記第１組に含まれていない一つおきの列から成る第２組の列は、その各列内において最終端から２番目の開孔におけるタイバー・ピッチに比較して最終端開孔におけるタイバー・ピッチが小さくされ、上記第２組内の開孔列の端部直前の最後のタイバーはその列の長手方向に測ってその最後のタイバーの次のタイバーよりも短かくされており、上記すべての開孔列の端部における最終端開孔は滑らかな境界線上で終端しているカラー映像管。」 
 　 
（２）引用刊行物２ 
　本願の優先権主張の日前に頒布された刊行物である特開昭５５−７８４４５号公報（以下、「引用刊行物２」という。）には、図面とともに次の記載がある。  
ａ２．「特許請求の範囲  （１）陰極線励起型線状螢光表示面と、この表示面と離間して管内に取付けられた細隙状多孔マスクとを具備し、上記マスクの細隙は実質的に平行な列を成して配列され、その各列はそのマスクの帯状部によつて互いに隔てられた複数個の細隙を含み、隣接する列の帯状部は互いに長手方向に食違つており、上記マスクの大部分における各列の隣接する帯状部の中心間距離は帯状部反復距離と定義すると、上記列はその両端からこの帯状部反復距離の約２分の１以内に帯状部の中心を含まないことを特徴とする陰極線管。」（公報第１頁左下欄４行〜１５行）  
ｂ２．「マスクの細隙は平行な垂直列に配置され、その各列はマスクの帯状部で垂直に分離された複数個の細隙を含んでいる。隣接列の帯状部は垂直方向に互いに食違つて配置され、この食違い配置と一定の細隙長さのために…ある列は限界線に帯状部で接し、他の列は限界線に開孔部で接する表示面は上下限界線のある部分に段が付くことになり、この段は表示面に接近して座つている視聴者に見えるので美観上好ましくない。この発明による陰極線管…そのマスクの細隙は実質的に平行な列を成して配置され、各列はマスクの帯状部によつて垂直方向に分離された複数個の細隙を含み、開孔列の端部のいくつかが改変されてより美的に満足できる表示面を形成している。」（公報第１頁右下欄４行〜第２頁左上欄２行） 
ｃ２．「第１図は矩形パネル２２、フアンネル部２６および管状ネツク部２４より成る真空ガラス外囲器２０を有する矩形のカラー映像管を示す。パネルの内部図を第２図に示す。パネル２２は観察用フエースプレート２８と、フアンネル部２６へ封止された外周フランジすなわち側壁３０とから成る。フエースプレート２８の内面には…モザイク状３色陰極線励起型線状螢光表示面３２が設けられている。…この表示面３２に対して所定の間隔をとつて多孔選色電極すなわちシヤドーマスク３４（略示）がパネル２２の内側に着脱自在に取付けられている。」（公報第２頁左上欄５行〜１７行）  
ｄ２．「この帯状部の反復パターンのためおよび表示面の限界線をパネル２２およびマスク４２の僅かに彎曲した上下輪郭に平行にしたいため、指定の限界線は一般に細隙位置で細隙列を切るが、時には帯状部またはこれに十分に近い位置で切つて完全なエツチングを行うには不十分な細隙パターンを与える。」（公報第２頁左下欄１２行〜１８行）  
ｅ２．「この発明による規則的で滑らかに形成された上下限界線を持つ表示面を有する改良された映像管の一部を第４図に示す。マスク６２は全開孔列の幅が完全で、所定の限界線が細隙を切るようにいくつかの列の細隙パターンの上下端部が改変されている以外マスクの大部分において第３図のマスク４２と同じ細隙形状を有している。マスク６２は列６６に配列された複数個の細隙６４を有し、各列の細隙６４は帯状部６８によつて互いに分離されている。マスク６２の長手方向の中心部における帯状部６８の中心間距離は帯状体反復距離ＷＲＤである。この実施例においては所定の限界線から帯状部反復距離の１／２以内に中心が来る帯状部はすべて廃止されている。実際は表示面の露光に使用するホトマスクの製作において細隙パターンを描くとき、そのパターンが限界線を越えて続けば、その限界線から内側または外側へ１／２ＷＲＤ以内に中心の来る帯状部が廃止される。限界線の外側の帯状部パターンを廃止するのは、限界線パターンが若干ずれることがあるため、各列による限界線の中断をなくすると共に細隙端部のテーパによる表示面の限界線の変形を防ぐためである。開孔パターンの限界線近傍から帯状部を除くことにより確実にすべての列の両端の細隙が完全な幅で所定の上下限界線まで延びるようになる。これにより開孔列が滑らかな輪郭線に沿つて終るので、これに基いて形成された表示面７０もまた第４図に示すような滑らかな上下限界線を持つようになる。」（公報第２頁右下欄８行〜第３頁左上欄１５行）  
ｆ２．「上の説明では帯状部反復距離が一定としたが、この発明の技術的範囲は帯状部反復距離が特別の目的でマスク全体に亘つて僅かに変化した実施例も含み…」（公報第３頁左上欄１６行〜１９行）  
ｇ２．「第５図のパターン８０はマスクの電子銃側に得られる開孔形状を…示す。各図において開孔列の限界線は線８８により示されている。電子銃側のパターン８０のパターン構成要素は限界線８８で終わつている…第５図および第６図において限界線８８の内側の破線９０は帯状部反復距離の１／２の間隔を示す。図から判るように、帯状部の中心が破線９０と限界線８８との間にないため、開孔列の外周は滑らかな輪郭を成している。」（公報第３頁右上欄１０行〜左下欄８行）  
ｈ２．「帯状部反復距離が不変の従来法における帯状部の位置をＡで示す。しかし、この外周領域の帯状部をいくつか除去すると問題が発生することが実験により判つた。例えば端部細隙が帯状部を除くと非常に長くなり、マスクをドーム型に成形するとき細隙に著しい歪が生じた。従つてこの歪を防ぐために帯状部反復距離の１／２の線のすぐ外側に帯状部が追加されている。この追加の帯状部を図中Ｂで示す。一般に帯状部の中心が限界線８８から帯状部反復距離の１．１〜１．５の間に来るとき、帯状部が追加される。第５図および第６図の実施例において、１．１倍および１．５倍の線を９２および９４で示す。追加の帯状部Ｂは長くなつた細隙の中点に設けられている。この追加帯状部Ｂの垂直寸法は正規の帯状部の垂直寸法の約半分である。」（公報第３頁左下欄８行〜右下欄３行）  
 　   　  
（３）引用刊行物３  
　本願の優先権主張の日前に頒布された刊行物である実願昭５４−１８９８５号（実開昭５５−１２００６９号）のマイクロフィルム（以下、「引用刊行物３」という。）には、図面とともに次の記載がある。  
ａ３．「長径，短径を有するほぼ矩形状の透孔部がその長径方向にブリッヂを介して縦方向ピッチで複数個配列され、この様な長径方向の透孔部列が所定横方向ピッチで複数列配列されてなるカラー受像管用シャドウマスクに於て、少なくとも前記縦方向ピツチが中心部より周縁部に向うに従つて小さくなるように形成されてなることを特徴とするカラー受像管用シャドウマスク。」（明細書第１頁４行〜１１行）  
ｂ３．「シヤドウマスク（１）にはほぼその全面に中央部を拡大して示す円形（２）内及び両周縁部を拡大して示す円形（３）及び（４）内の如く長径（５），短径（６）を有するほぼ矩形状の透孔部（７）が、その長径方向にブリツヂ（８）を介して縦方向ピツチ（９）で複数個配列され、この様な長径方向の透孔部列が所定横方向ピツチ（１０）で複数列配列されており、前記透孔部（７）の形状をきめる長径（５）と短径（６）及び縦方向ピツチ（９）と横方向ピツチ（１０）はシヤドウマスク（１）全面に於て略均一であり、ブリツヂ（８）はシヤドウマスク（１）を水平方向（Ｘ−Ｘ’）に電子ビームが走査した時モアレ現象があまり出ないように形成されている。この様な構造を有するシャドウマスク（１）をカラー受像管に内装し、電子銃から射出する電子ビームをシャドウマスク（１）を介して蛍光面上に走査し、カラー画像を再現する時前記ブリッヂ（８）は画面の輝度を低下させるし、また画面横方向即ち円形（３）（４）に対応する螢光面上に於て電子ビームが横長になるためモアレ現象が目立ち易くなり、中央部即ち円形（２）に対応する螢光面上に於てはほぼ円形となりモアレ現象が目立ちにくい。」（明細書第２頁１２行〜第３頁１２行） 
ｃ３．「この考案は前述した従来のカラー受像管用シヤドウマスクの諸欠点に鑑みなされたものであり、画面周辺部のモアレ特性，画面粗度を含む特性を良好に保つか改良しながら画面中央部の輝度を向上させることが可能なカラー受像管用シヤドウマスクを提供することを目的としている。」（明細書第４頁３行〜８行）  
ｄ３．「中央部に於ては、第５図に示すように長径（２５），短径（２６）を有するほぼ矩形状の透孔部（２７）がその長径方向にブリツヂ（２８）を介して縦方向ピツチ（２９）で複数個配列され、この様な長径方向の透孔部列が所定横方向ピツチ（３０）で複数列配列されており、前記透孔部（１７）の形状をきめる長径（２５）と短径（２６）及び縦方向ピッチ（１９）と横方向ピッチ（３０）のうち、短径（２６）と横方向ピッチ（３０）は端縁部（１３１）（１３２），（１４１）（１４２）のものとほぼ同様であるが、長径（２５）及び縦方向ピツチ（２９）は端縁部のものに比較して大となるようになされ、かつこの長径（２５）及び縦方向ピツチ（２９）は端縁部（１３１）（１３２）（１４１）（１４２）及び隅部に行くに従い次第に第４図の如く従来のシヤドウマスクの透孔部と同じようになるよう次第に小となるように形成されている。」（明細書第５頁５行〜１９行）
ｅ３．「この様な形状のシャドウマスクをカラー受像管に装着し、蛍光面にカラー画像を再現すると、中央部に於てはブリッヂ（２８）の数がすくなくなり、例えば縦方向のピッチを周縁部の２倍にすることにより電子ビームのシャドウマスク（１１）の透過率は約１５％向上し極めて輝度の高い画像を得ることが出来るし、周縁部に於ては従来と同様にモアレ現象が多少出るが、これは中央部の輝度が高くなるため実質的には視聴者にとっては問題とならなくなる。」（明細書第５頁２０行〜第６頁９行）
　　　
　上記摘記事項ａ３．乃至ｅ３．及び図面の図１乃至図５の記載からみて、引用刊行物３には次の発明（以下、「引用刊行物３発明」という。）が記載されている。  
　「シャドウマスクマスクは２つの長い側と２つの短い側とを有する長方形の周囲を有し、前記マスクは、中央部において長径（２５）及び短径（２６）を有するほぼ矩形状の透孔部（２７）がその長径方向にブリツヂ（２８）を介して縦方向ピツチ（２９）で複数個配列され、この様な長径方向の透孔部列が所定横方向ピツチ（３０）で複数列配列されており、中央部における長径（２５）及び縦方向ピツチ（２９）は端縁部（１３１）（１３２）（１４１）（１４２）における長径（１５）及び縦方向ピツチ（１９）に比較して大となるようになされ、かつこの長径（２５）及び縦方向ピツチ（２９）は端縁部（１３１）（１３２）（１４１）（１４２）及び隅部に行くに従い次第に小となるように形成されることにより、画面周辺部のモアレ特性を良好に保つか改良しながら画面中央部の輝度を向上させることが可能なカラー受像管用シヤドウマスク。」
　　　
（４）引用刊行物４ 
　本願の優先権主張の日前に頒布された刊行物である特開平２−１０３８４７号公報（以下、「引用刊行物４」という。）には、図面とともに次の記載がある。  
ａ４．「第３図は上記構成のカラー陰極線管における従来のシャドウマスク（７）の一部を拡大して示す図である。（特開昭５３−５６９６４号参照）同図から明らかなように、シャドウマスク（７）は長方形状をなすスロット（８）を画面の垂直方向（以下、これを「Ｖ方向」とする）に一定のピッチ（Ｐｖ）で配置したスロット列を、ほぼ平行に多数規則正しく水平方向（以下、これを「Ｈ方向」とする）に配列してモザイク状に構成されている。
（９）はスロット列の各スロット（８）間に存在する非透孔部を構成するブリッジ部である。各スロット（８）のＶ方向開口寸法（ｌ）は全て一定であり、かつ各スロット列は、一般に相隣り合うスロット列のブリッジ部（８）の位置が他のスロット（８）をＶ方向に互いに２等分するように、つまり上記ピッチ（Ｐｖ）の１／２ずつ交互にずれるように配列されている。このようなスロット（８）の配列パターンを有するシャドウマスク（７）に対して電子ビームをＨ方向に走査させると、その電子ビームが各スロット列のスロット（８）とスロット（８）との間のブリッジ部（９）で阻止されるので、蛍光膜（３）の蛍光面上に影が投影されることになる。この影は、ずれ量（１／２）・Ｐｖに、電子ビームの飛跡で決る寸法的な拡大率（α）を乗算した値、つまりα｛（１／２）・Ｐｖ｝づつ隔たってＨ方向に投影される。
ところで、電子ビームの走査線本数はＮＴＳＣ方式で５２５本、ＰＡＬ方式で６２５本に規定されている。また電子ビーム自体も、ある大きさをもっているので、蛍光面を走査した状態で走査線と走査線との間にも影を生じ、電子ビームによる明暗の縞が発生する。」（公報第２頁左上欄１０行〜左下欄２行）
ｂ４．「第４図は第３図で示したようなスロット（８）の配列パターンのシャドウマスク（７）に走査線が通ったときの発光に寄与する電子ビームの状態を示す図である。同図において、（１０ａ）は電子ビームがブリッジ部（８）のない所を走査したときの走査線、（１０ｃ）は電子ビームがブリッジ部（８）と重なって走査したときの走査線で、この走査線中央の最大電流密度の部分がブリッジ部（９）と重さなっている。（１０ｂ）は電子ビームの一部がブリッジ部（９）と重なて走査したときの走査線である。これら各走査線（１０ａ）〜（１０ｃ）を比較してみると、走査線（１０ａ）の場合、斜線で示した蛍光面（３）はその発光部の面積が最大でかつ最も明るく、走査線（１０ｃ）の場合、蛍光面（３）の発光面積とブリッジ部（９）の面積とが１：１の割合となって、蛍光面（３）の明るさは走査線（１０ａ）の場合に比較して半減される。このような走査線による明暗の規則的な繰り返しがモアレパターンとなる。」（公報第２頁左下欄３行〜２０行）
ｃ４．「また、モアレ縞の発生を低減する別の方法として、ブリッジ部（９）の幅（Ｂｗ）を小さくすることが考えられるが、この場合も、スロット（８）のピッチ（Ｐｖ）を大きくする場合と同様に、シャドウマスク（７）の成形性の問題から好ましくなく、シャドウマスク（７）の機械的な強度保持の面から通常０．１ｍｍ≦Ｂｗ≦０．１５ｍｍの範囲の値が必要である。
このブリッジ部（９）の蛍光面上の影の大きさによる幅（Ｂｗ）の影響は、電子ビームの偏向角度に比例して大きくなり、また走査線の影の部分の幅は電子ビームのフォーカス性能がよくなればなる程に大きくなる傾向にある。
とくに、電子銃（２）のフォーカス電極に偏向ヨーク（３）の偏向電流に同期した変調電圧を加えて、蛍光面の全面にわたってフォーカス性能の向上を図ったカラー陰極線管においては、蛍光面上での走査線の明暗の縞が鮮明になって、モアレ縞が目立ちやすい。さらに、最近のカラー陰極線管において多用されているように、蛍光面を形成するパネル（１）の形状が非球面であると、蛍光面上の各位置での走査線の間隔が変化し、モアレ縞パターンも非常に複雑となる。」（公報第３頁左下欄１行〜右下欄２行）
　　
５．対比判断
（１）本願発明と引用刊行物１発明との対比
　i．引用刊行物１発明の「３色カラー蛍光体スクリーンに対して所定の間隔をおいて取付けられたシャドウマスク」、「長辺」、「短辺」、「長軸」、「短軸」、「スリット形開孔」、「開孔配列」、「タイバー」、「列内におけるタイバー相互間の間隔」、「マスクのその位置におけるタイバー・ピッチ」及び「カラー映像管」は、それぞれ、本願発明の「ビューイングスクリーンに離間した関係で取り付けられたシャドウマスク」、「長い側」、「短い側」、「主軸」、「従軸」、「スリット形状の開孔」、「開孔アレイ」、「タイバー」、「列内のタイバーからタイバーまでの間隔」、「マスク上の位置におけるタイバーのピッチ」及び「カラー映像管」に相当する。
　ii．引用刊行物１発明の「上記マスクは、２つの長辺と２つの短辺およびマスクの中心を通り上記両長辺と平行な長軸と上記マスクの中心を通り上記両短辺に平行な短軸とを有する矩形状の輪郭を有し」は、本願発明の「前記マスクは２つの長い側と２つ短い側とを有する長方形の周囲を有し、その主軸は前記マスクの中心を通過して前記長い側に平行であり、その従軸は前記マスクの中心を通過して前記短い側に平行であり」に相当する。
　iii．引用刊行物１発明の「このマスクは列状に整列したスリット形開孔を含む開孔配列を有し、上記列は上記短軸と実質的に平行で上記開孔配列の境界部で終端しており」は、本願発明の「前記マスクは前記従軸に実質的に平行で開孔アレイの境界において終端する列に整列したスリット形状の開孔を含む開孔アレイを有し」に相当する。
　iv．引用刊行物１発明の「各列内で互に隣接する開孔はマスク中のタイバーによって隔てられており、一つの列内におけるタイバーは隣接する各列内におけるタイバーに対し上記短軸と平行するその長手方向に偏位し」は、本願発明の「各々の列内における近接した開孔は前記マスク内においてタイバーにより分離され、一つの列内におけるタイバーは各々の近接した列におけるタイバーから前記従軸に平行な長手方向にずらされ」に相当する。
　v．引用刊行物１発明の「上記列のうち一つおきの列から成る第１組の列は、その各列内の最終端から２番目の開孔におけるタイバー・ピッチに比較して最終端開孔におけるタイバー・ピッチが大きくされており、上記第１組に含まれていない一つおきの列から成る第２組の列は、その各列内において最終端から２番目の開孔におけるタイバー・ピッチに比較して最終端開孔におけるタイバー・ピッチが小さくされ、上記第２組内の開孔列の端部直前の最後のタイバーはその列の長手方向に測ってその最後のタイバーの次のタイバーよりも短かくされ、上記すべての開孔列の端部における最終端開孔は滑らかな境界線上で終端している」は、本願発明の「少なくともその一端に完全な長さの最終開孔を有する一つ置きの列よりなる開孔列の第１の組と、少なくともその一端に部分的な長さの最終開孔を有する第１の組には無い一つ置きの列よりなる開孔列の第２の組と、滑らかに湾曲した境界線上で終端する前記開孔列の全ての最終開孔とよりなり」と対比して、「その一端に少なくとも完全な長さの最終開孔を有する一つ置きの列よりなる開孔列の第１の組と、その一端に部分的な長さの最終開孔を有する第１の組には無い一つ置きの列よりなる開孔列の第２の組と、滑らかに湾曲した境界線上で終端する前記開孔列の全ての最終開孔とよりなり」の点で共通する。
　
　そうすると、本願発明と引用刊行物１発明の両者は、以下の点でそれぞれ、一致ならびに相違するものと認められる。
　一致点．「ビューイングスクリーンに離間した関係で取り付けられたシャドウマスクを有し、前記マスクは２つの長い側と２つ短い側とを有する長方形の周囲を有し、その主軸は前記マスクの中心を通過して前記長い側に平行であり、その従軸は前記マスクの中心を通過して前記短い側に平行であり、前記マスクは前記従軸に実質的に平行で開孔アレイの境界において終端する列に整列したスリット形状の開孔を含む開孔アレイを有し、各々の列内における近接した開孔は前記マスク内においてタイバーにより分離され、一つの列内におけるタイバーは各々の近接した列におけるタイバーから前記従軸に平行な長手方向にずらされ、列内のタイバーからタイバーまでの間隔はマスク上の位置におけるタイバーのピッチである、カラー映像管であって、
　その一端に少なくとも完全な長さの最終開孔を有する一つ置きの列よりなる開孔列の第１の組と、その一端に部分的な長さの最終開孔を有する第１の組には無い一つ置きの列よりなる開孔列の第２の組と、滑らかに湾曲した境界線上で終端する前記開孔列の全ての最終開孔とよりなるカラー映像管。」　相違点Ａ．その一端に少なくとも完全な長さの最終開孔を有する一つ置きの列よりなる開孔列の第１の組において、本願発明は、列の一端に完全な長さの最終開孔を有するのに対し、引用刊行物１発明は、列内の最終端から２番目の開孔におけるタイバー・ピッチに比較して最終端開孔におけるタイバー・ピッチが大きくされている点。
　相違点Ｂ．本願発明のシャドウマスクは、前記列のタイバーのピッチは前記マスクの前記中心から前記短い側へ減少し、各々の列に沿ったタイバーのピッチは前記マスクの中心から前記長い側へと変化することにより、ビューイングスクリーンの側においてモアレを最小限に抑えるのに対し、引用刊行物１発明はそのことが明らかでない点。
　
（２）相違点の検討
　i．相違点Ａについて
　引用刊行物１発明の「列内の最終端から２番目の開孔におけるタイバー・ピッチに比較して最終端開孔におけるタイバー・ピッチが大きくされている」構成について検討すると、引用刊行物１の上記摘記事項ｅ１、特に段落「【００１５】奇数番目の列中の最終端開孔４１、４３および４５は配列の境界線８０まで延長するように長さが長くされ、一方偶数番目の列中の端から２番目の開孔５０、５２および５４は短くされている。奇数番列中の最終端開孔の長さを長くする目的は配列の境界線に接近して位置するタイバーが存在しないようにすることである。」との記載及び図４の記載によれば、奇数番目の列が境界線に接近して位置するタイバーで終端しているときに、該タイバーが存在しないようにするために、最終端開孔の長さが該タイバーの長さ分だけ完全な長さより大となるように配列するものである。そして、奇数番目の列中の最終端開孔において、前記タイバーの長さ分により大となる長さが完全な長さの開孔の長さと比較して僅かであることも明らかである。
  ところで、引用刊行物１発明の技術的課題は、すべての開孔列の端部における最終端開孔が滑らかな境界線上で終端するように配列することであるところ、当業者は前記技術的課題を解決する具体的手段として通常の創作能力を発揮しうるから、引用刊行物１発明に基づく変形態様として、奇数番目の列中の最終端開孔として完全な長さの開孔が滑らかな境界線上で終端するように配列する方式について、偶数番目の列中の最終端開孔として部分的な長さの開孔が前記境界線上で整合して終端するように配列することも含めて、その可能性を考察することは、当業者にとって単なる設計的変更の域のものというべきである。
　しかして、引用刊行物１発明には、開孔列の第１の組ではほぼ完全な長さの最終開孔を境界線上に配列するという、本願発明と共通する技術的課題が示されているから、前記技術的課題を解決する具体的手段の変形態様として、引用刊行物１発明に示される、開孔列の第１の組である奇数番目の列中の最終端開孔の長さが境界線に接近して位置するタイバーの長さ分だけ完全な長さより大となるように配列する方式に代えて、開孔列の第１の組である奇数番目の列中の最終端開孔として完全な長さの開孔が滑らかな境界線上で終端するように配列する方式を採用して、前記相違点Ａに係る本願発明のように構成することは、当業者が容易に想到できるものである。
　ii．相違点Ｂについて
　引用刊行物１の上記摘記事項ｂ１には、マスク開孔部の境界線を滑らかにする技術において、「【０００５】最近、タイバーの縦方向の繰返し率すなわちタイバーのピッチが変化しているシャドウマスクを作る試みがなされている。この変化させる目的は、モアレの問題を低減するためにスクリーン上に一定ピッチの陰を作ることである。もし、タイバーのピッチが変っている上記の様なマスクを使用して管スクリーンの上下境界線を直線状の投影状態にしようとすれば、上記の様なマスクに簡単に適用できる新しい境界線平滑化法が必要となる。」との記載事項があり、引用刊行物１発明は、前記記載事項を踏まえて、モアレを低減するためにタイバーのピッチを変えたシャドウマスクを使用して管スクリーンの上下境界線を直線状の投影状態にするための発明と認められる。
　ところで、引用刊行物３発明には、２つの長い側と２つの短い側とを有する長方形の周囲と、矩形状の透孔部（２７）とを有し、中央部における長径（２５）及び縦方向ピツチ（２９）は端縁部（１３１）（１３２）（１４１）（１４２）における長径（１５）及び縦方向ピツチ（１９）に比較して大となるようになされ、かつこの長径（２５）及び縦方向ピツチ（２９）は端縁部（１３１）（１３２）（１４１）（１４２）及び隅部に行くに従い次第に小となるように形成することにより、画面周辺部のモアレ特性を良好に保つか改良しながら画面中央部の輝度を向上させることが可能なカラー受像管用シヤドウマスクが開示されており、本願発明における、スリット形状の開孔を有するシャドウマスクにおいて、列のタイバーのピッチは前記マスクの中心から短い側へ減少し、各々の列に沿ったタイバーのピッチは前記マスクの中心から長い側へと変化する構成に相当する。
　すなわち、本願発明について、本願明細書の段落【００１２】に「マスク２４の好ましい実施例において、タイバーのピッチは、明瞭に見えるスクリーンの上縁及び下縁を達成しスクリーン全体に良好なモアレ特性を提供するために、中心主軸Ｘの方向と中心従軸Ｙの方向の両方向で変化される。」と記載されているところ、引用刊行物３発明は、タイバーのピッチに係る本願発明と同様の構成により、周縁部のモアレ特性を良好に保つか改良しながら画面中央部の輝度を向上させることで、周縁部のモアレが問題とならなくするものであるから、スクリーン全体に良好なモアレ特性を提供するという技術思想において、両者に差異がないものであり、引用刊行物３発明は、スクリーンの側においてモアレを最小限に抑えるものといえる。
　しかも、前記のように、引用刊行物１に、モアレの問題を低減するという技術的課題に基づいてタイバーのピッチが変っているマスクを使用することが記載されていることからすれば、引用刊行物１発明にその技術的課題が共通する引用刊行物３発明の構成を採用する動機付けが示されていることは明らかである。
　そうすると、スクリーンの側においてモアレを最小限に抑えるために、引用刊行物１発明に示されるタイバーのピッチに係る構成について、引用刊行物３発明に示されるタイバーのピッチを中心部より周縁部に向うに従つて小さくなるように形成する構成を採用して、前記相違点Ｂに係る本願発明のように構成することは、当業者が容易に想到できるものである。
　iii．作用効果について
　本願発明の作用効果は、引用刊行物１発明及び引用刊行物３発明に基づいて、当業者が容易に予測できるものである。
　　
（３）まとめ
　したがって、本願発明は、引用刊行物１発明及び引用刊行物３発明に基づいて、当業者が容易に発明をすることができたものであるから、特許法第２９条第２項の規定により特許を受けることができない。
　　　
５．むすび
　以上のとおり、本願発明は、引用刊行物１発明及び引用刊行物３発明に基づいて、当業者が容易に発明をすることができたものであるから、特許法第２９条第２項の規定により特許を受けることができない。
　よって、結論のとおり審決する。